(57)【要約】【課題】ＰＬＬを安定して掛けることを可能とし、また、ヘッドについての技術により、記録時に記録と同時にヘッド目詰まりを敏速に検出して、記録異常の発生することを少なくし、さらに、モードについての技術により、記録時のヘッド目詰まりを敏速に検出して、記録異常の発生することを少なくし、信頼性の高い磁気記録再生装置を提供する。【解決手段】３個以上の磁気ヘッド２を設けた回転ドラムを備え、前記磁気ヘッド２を選択して使用する磁気記録再生装置において、複数の前記磁気ヘッド２を用いて、再生と再生、または記録と再生を並行して行うことを特徴とする磁気記録再生装置。【選択図】        図１
2004192708.tif 000002
【特許請求の範囲】
【請求項１】
３個以上の磁気ヘッドを設けた回転ドラムを備え、
前記磁気ヘッドを選択して使用する磁気記録再生装置において、
複数の前記磁気ヘッドを用いて、再生と再生、または記録と再生を並行して行うことを特徴とする磁気記録再生装置。
【請求項２】
３個以上の磁気ヘッドを設けた回転ドラムを用いて、複数のモードにあわせて前記磁気ヘッドを選択して使用し、磁気テープ信号を記録再生する磁気記録再生装置において、
前記複数のモードには、記録時に記録データが存在しない期間があるモードがあり、前記記録時に記録データの存在しない期間があるモードで記録するとき、モードにあわせて前記磁気ヘッドを選択し、前記記録時に記録データの存在しない期間があるモードで記録されたデータを再生するときには、前記モードの記録時に選択されるヘッドと選択されないヘッドの両方で再生し、再生データが存在しない期間を減少させることを特徴とする磁気記録再生装置。
【請求項３】
３個以上の磁気ヘッドを設けた回転ドラムを用いて、複数のモードにあわせて前記磁気ヘッドを選択して使用し、磁気テープ信号を記録再生する磁気記録再生装置において、
記録時に記録データが存在しない期間があり、記録データが存在する期間には、記録に選択された磁気ヘッドで信号を記録し、記録データが存在しない期間には、記録に選択されていない磁気ヘッドを再生状態にすることを特徴とする磁気記録再生装置。
【請求項４】
ヘリカルスキャン方式の磁気記録再生装置において、
回転ドラムが回転してテープが走行しない記録休止モード（ＲｅｃＰＡＵＳＥ）を有し、前記記録休止モード（ＲｅｃＰＡＵＳＥ）で、記録再生装置の異常を判断することを特徴とする磁気記録再生装置。
【請求項５】
ヘリカルスキャン方式の磁気記録再生装置において、
再生信号の状態を判別する記録再生状態判別手段を備え、回転ドラムが回転してテープが走行しない記録休止モード（ＲｅｃＰＡＵＳＥ）を有し、記録休止モード（ＲｅｃＰＡＵＳＥ）で、トラックの所定エリアに記録再生状態判別信号を記録、再生し、その信号の再生状態で、記録再生装置の異常を判断することを特徴とする磁気記録再生装置。
【発明の詳細な説明】
【０００１】
【発明の属する技術分野】
本発明は、ＤｉｇｔａｌＶＣＲ  ｆｏｒ  Ｃｏｎｓｕｍｅｒｎｅｒの規格に準拠したＳＤ／ＳＤＬモード対応した３ヘッドのデジタルＶＴＲにおける、ＳＤＬモード時の記録不良検出を行う磁気記録再生装置に関するものである。
【０００２】
また、本発明は、ヘリカルスキャン方式の磁気記録再生装置において、記録休止モードを利用して、目詰まり等の記録再生の異常を検出する磁気記録再生装置に関するものである。
【０００３】
【従来の技術】
（ヘッドについての従来例）
まず、図１１〜図１４を用いて、ヘッドについての従来例を説明する。
【０００４】
図１１は、デジタルＶＴＲの要素構成を示すブロック図である。
【０００５】
１はテープ、２はヘッド、３はアンプ、４は等化回路、５は復調回路、６はマイコン、７は再生信号処理回路、１１は記録信号処理回路、１２は変調回路、１３はアンプ、１４はスイッチである。
【０００６】
図１１において、記録時には、入力されたデジタルビデオ信号は、記録信号処理回路１１においてＤＣＴ、量子化等の技術を用いて情報量を圧縮され、変調回路１２に出力される。
【０００７】
変調回路１２は、圧縮されたデジタルビデオ信号に対して、エラー訂正データの付加等、デジタル変調処理を施して、記録に適した形式の信号に変換し、アンプ１３に出力する。
【０００８】
アンプ１３は、変調されたビデオ信号を増幅して、スイッチ１４を介してヘッド２に出力する。
【０００９】
ヘッド２は、スイッチ１４を介して供給されたビデオ信号をテープ１に記録する。
【００１０】
次に、再生時には、テープ１からヘッド２により再生されたビデオ信号がアンプ３により増幅されて等化回路４に出力される。
【００１１】
等化回路４は、電磁変換系における再生信号の振幅及び郡遅延特性の補償をする。
【００１２】
等化回路４で振幅及び郡遅延特性を補償された信号は、復調回路５に出力される。
【００１３】
復調回路５は、等化処理の施された再生信号を復調すると共に、もとのデジタルデータを検出し、１、０信号に変換して再生信号処理回路７に出力し、記録時とほぼ逆の処理を施して元のデジタルビデオ信号に変換して出力する。
【００１４】
スイッチ１４では、各ヘッド２について、ＲｅｃＨ、ＰＢＨを持ち、ドラムＰＧから形成されたスイッチングパルス（ｓｗｐ）から、各ヘッドのＲｅｃＨ（ＲｅｃＨ＿０、ＲｅｃＨ＿１、ＲｅｃＨ＿２）、ＰＢＨ（ＰＢＨ＿０，ＰＢＨ＿１，ＰＢＨ＿２）を制御して、ヘッドの信号を管理する。
【００１５】
ＲｅｃＨがＨｉｇｈの時、記録信号がヘッド２に流れ、ＰＢＨがＨｉｇｈの時、ヘッド再生信号がアンプ３に行く。
【００１６】
なお、この技術の例では、記録時に変調回路１２にてインターリーブＮＲＺＩの処理やエラー訂正コードの付加を施してＤＣフリーの信号を記録する。
【００１７】
したがって、再生時に等化処理でナイキスト基準に等化して、復調回路５ではエラー訂正、また逆Ｉ−ＮＲＺＩの処理を再生信号に施す。
【００１８】
この処理は、パーシャルレスポンス（この例では、ＰＲ（１，０，−１））を用いた記録再生技術として特に近年用いられている技術であり、記録時に符号間干渉を与えて記録し、再生時にこれを取り除く事により、高記録密度に伴う符号干渉の影響を抑制する事が可能になる。
【００１９】
さらに、等化回路４でナイキスト基準に一致するように積分等化した再生信号を復調回路５において、Ｉ−ＮＲＺＩを満たす波形にして、ビタビ復号を用いて、１、０のデジタルデータに変換している。
【００２０】
再生時には、復調回路５では、ビタビ複合の為のＡ／Ｄにより出力レベルが解り、エラー訂正によりエラー数が解る。
【００２１】
図１２に、ＳＤ／ＳＤＬの３ｃｈヘッド構成の図、図１３に、３つのヘッドのＳＤモードでの記録時、再生時のＲｅｃＨ、ＰＢＨ、再生出力の関係の図、図１４に、３つのヘッドのＳＤＬモードでの記録時、再生時のＲｅｃＨ、ＰＢＨ、再生出力の関係の図を示す。
【００２２】
図１２に示すように、ｃｈ０とｃｈ１とｃｈ２と３つのヘッドを備える。
【００２３】
次に、図１３、図１４を用いて、記録時、再生時のＲｅｃＨ、ＰＢＨ、再生出力の関係を説明する。
【００２４】
出力０，１，２は、各ＣＨの出力である。
【００２５】
図１３に示すように、ＳＤモードでは、１８０°対向したｃｈ０，ｃｈｌを使い、ｓｗｐに同期させながら、記録時にはＲｅｃＨ＿０とＲｅｃ＿１を、再生時にはＰＢＨ＿０とＰＢＨ＿１を切り替える（ＲｅｃＨ＿２，ＰＢＨ＿２はいずれもＬｏｗ）。
【００２６】
なお、記録時には、ＰＢＨ＿０、ＰＢＨ＿１はＬｏｗ、再生時はＲｅｃＨ＿０、ＲｅｃＨ＿１はＬｏｗである。
【００２７】
次に、ＳＤＬでは図１４に示すようになる。
【００２８】
ＳＤＬでは、隣接したＣＨ０，２のヘッドを用いて記録再生を行う。
【００２９】
ＳＤＬモードでは、データ量がＳＤの１／２であり、ＣＨ０，２を用いて、１周ごとに約１８０°だけ記録再生を行う。
【００３０】
ＲｅｃＨ、ＰＢＨは、信号を記録するとき、再生するときのみＨｉｇｈにする。
【００３１】
以上のように、ＣＨ０はＳＤ，ＳＤＬ共用の−アジマスチャンネル、ＣＨ１はＳＤ用＋アジマスチャンネル、ＣＨ２はＳＤＬ用＋アジマスチャンネルとなる。
【００３２】
（モードについての従来例）
次に、図１５を用いて、モードについての従来例を説明する。
【００３３】
ヘリカルスキャン方式の磁気記録再生装置には、画像データを記録するＶＴＲがあり、現在アナログＶＴＲとデジタルＶＴＲの２種類がある。
【００３４】
ＶＴＲでは、テープ磁性粉等がヘッドに付着してヘッド目詰まりが発生する。
【００３５】
目詰まりの発生した状態では、記録、再生が行えず、クリーニングテープなどでヘッド清掃を行う必要があり、目詰まり状態を判別して、使用者に目詰まりを知らせる機能を持ったＶＴＲが開発されている。
【００３６】
再生時に目詰まりが発生した時は、ヘッド清掃を行い再生すれば、再生画を見る事ができるが、記録時に目詰まりが発生すると記録異常となり、後から再生する事ができず、問題となる。
【００３７】
従来の目詰まり検出は、再生時に出力の低下を観察したり（図１５（ａ））、記録終了後に最後の数秒間記録部分を再生して、記録状態を確認したり（図１５（ｂ））、記録前にテスト記録／再生を行って判断する方式（図１５（ｃ））がある。
【００３８】
【発明が解決しようとする課題】
しかしながら、ヘッドについての従来例では、図１４に示したように、ＳＤＬモードで、再生データが存在しない期間が全休の１／２あり、再生データの途切れる期間もＳＤモードに比較して長い。
【００３９】
そして、このデータが存在しない期間では、ＰＬＬが引き込めない事や、次の再生データが来た時にＰＬＬの引き込みに時間がかかる場合がある課題がある。
【００４０】
また、目詰まりについての従来例では、上記従来例においては、再生時のみの判定であって敏速な検出という点で難があった。
【００４１】
そして、記録終了時に記録異常が判別されても、記録に異常が発生したシーンは再度記録が不可能であり、また、テスト記録を行うと記録開始までに時間がかかってしまうという問題点がある。
【００４２】
本発明は、以上のような問題点に鑑みて成されたものであり、その目的とする処は、信頼性の高い磁気記録再生装置を提供することにある。
【００４３】
その手法の一つとして、ＰＬＬを安定して掛けることが可能な磁気記録再生装置を提供することを目的とする。
【００４４】
また、ヘッドについての技術により、記録時に記録と同時にヘッド目詰まりを敏速に検出して、記録異常の発生することの少ない磁気記録再生装置を提供することをも目的とする。
【００４５】
さらに、モードについての技術により、記録時のヘッド目詰まりを敏速に検出して、記録異常の発生することの少ない磁気記録再生装置を提供することをも目的とする。
【００４６】
【課題を解決するための手段】
本発明は、下記の技術的構成により前記目的を達成できたものである。
【００４７】
（１）３個以上の磁気ヘッドを設けた回転ドラムを備え、前記磁気ヘッドを選択して使用する磁気記録再生装置において、複数の前記磁気ヘッドを用いて、再生と再生、または記録と再生を並行して行うことを特徴とする磁気記録再生装置。
【００４８】
（２）３個以上の磁気ヘッドを設けた回転ドラムを用いて、複数のモードにあわせて前記磁気ヘッドを選択して使用し、磁気テープ信号を記録再生する磁気記録再生装置において、前記複数のモードには、記録時に記録データが存在しない期間があるモードがあり、前記記録時に記録データの存在しない期間があるモードで記録するとき、モードにあわせて前記磁気ヘッドを選択し、前記記録時に記録データの存在しない期間があるモードで記録されたデータを再生するときには、前記モードの記録時に選択されるヘッドと選択されないヘッドの両方で再生し、再生データが存在しない期間を減少させることを特徴とする磁気記録再生装置。
【００４９】
（３）前記記録時には、異なるアジマスの２個の磁気ヘッドを選択して記録を行い、再生時には、前記記録時に選択される２個の磁気ヘッドと、選択されていない１個の磁気ヘッドの３個の磁気ヘッドで再生することを特徴とした前記（２）項記載の磁気記録再生装置。
【００５０】
（４）３個以上の磁気ヘッドを設けた回転ドラムを用いて、複数のモードにあわせて前記磁気ヘッドを選択して使用し、磁気テープ信号を記録再生する磁気記録再生装置において、記録時に記録データが存在しない期間があり、記録データが存在する期間には、記録に選択された磁気ヘッドで信号を記録し、記録データが存在しない期間には、記録に選択されていない磁気ヘッドを再生状態にすることを特徴とする磁気記録再生装置。
【００５１】
（５）前記記録時には、異なるアジマスの２個の磁気ヘッドを選択して記録を行い、記録に使用されていない１個の磁気ヘッドを再生状態にする事を特徴とした前記（４）項記載の磁気記録再生装置。
【００５２】
（６）前記記録時に再生状態とした磁気ヘッドの再生信号の出力レベルを基準レベルと比較して、記録状態を検出することを特徴とした前記（４）項または（５）項記載の磁気記録再生装置。
【００５３】
（７）前記記録時に再生状態とした磁気ヘッドの再生信号のエラー状態を観察して、記録状態を検出することを特徴とした前記（４）項ないし（６）項のいずれか記載の磁気記録再生装置。
【００５４】
（８）ヘリカルスキャン方式の磁気記録再生装置において、回転ドラムが回転してテープが走行しない記録休止モード（ＲｅｃＰＡＵＳＥ）を有し、前記記録休止モード（ＲｅｃＰＡＵＳＥ）で、記録再生装置の異常を判断することを特徴とする磁気記録再生装置。
【００５５】
（９）ヘリカルスキャン方式の磁気記録再生装置において、再生信号の状態を判別する記録再生状態判別手段を備え、回転ドラムが回転してテープが走行しない記録休止モード（ＲｅｃＰＡＵＳＥ）を有し、記録休止モード（ＲｅｃＰＡＵＳＥ）で、トラックの所定エリアに記録再生状態判別信号を記録、再生し、その信号の再生状態で、記録再生装置の異常を判断することを特徴とする磁気記録再生装置。
【００５６】
（１０）無記録状態に記録するか、すでに記録した上に記録するか、記録状態を判別する判別手段を備え、前記記録休止モードで、前記判別手段の判別結果に基づいて、記録再生状態判別信号を記録するトラック内のエリアを変更することを特徴とする前記（８）項または（９）項記載の磁気記録再生装置。
【００５７】
（１１）前記記録再生状態判別手段は、デジタル信号を記録、再生して、その再生信号のエラーレートを判断基準に用いることを特徴とした前記（９）項記載の磁気記録再生装置。
【００５８】
（１２）前記記録状態の判別結果で、すでに記録した上に記録するとき、オーディオエリア、ビデオエリア以外の領域で、記録再生状態判別信号を記録、再生することを特徴とする前記（１０）項記載の磁気記録再生装置。
【００５９】
すなわち、本発明の磁気記録再生装置は、上記の問題を達成するために、例えばＳＤ／ＳＤＬ３ｃｈヘッドシステムの磁気記録再生装置で、ＳＤＬ再生時には、ＳＤＬ用ヘッドで再生する事に加えて、ＳＤ用ヘッドも再生状態にする。
【００６０】
この事により、ＳＤＬ用ヘッドのみでは再生データが存在しない期間で、ＳＤ用ヘッドで再生する事が可能となり、再生データが存在しない期間が減少する。
【００６１】
また、本発明の磁気記録再生装置は、上記の問題を達成するために、例えばＳＤ／ＳＤＬ３ｃｈヘッドシステムの磁気記録再生装置で、記録時に、ＳＤＬモード時に記録に利用していないＳＤ用ヘッドを再生状態にする。
【００６２】
そして、記録時に、ＳＤ用ヘッドの再生信号の出力レベル、エラー状態などを観察して、記録状態を判別する。
【００６３】
また、本発明の磁気記録再生装置は、上記の問題を達成するために、記録休止モードを利用して、記録再生状態判別信号の記録、再生を行い、その時の再生状態から記録、再生の異常を判断する。
【００６４】
さらに、この記録休止モードで記録再生状態判別信号を記録、再生する前に、テープが無記録状態か、記録済みテープの上に記録するかを判断して、この情報に基づいて、記録済みテープに記録再生判別信号を記録する時には、すでに記録済みの情報を劣化させる事のないように、記録再生状態判別信号の記録、再生を行う。
【００６５】
【発明の実施の形態】
以下、本発明の実施形態を、各実施例に沿って説明する。
【００６６】
（第一の実施例）
以下、本実施例を図面を用いて詳細に説明する。
【００６７】
図１に本発明の信号の流れを示す。
【００６８】
デジタルＶＴＲの要素構成、チャンネル構成は、図１１，図１２に示す従来例と同じであり、省略する。
【００６９】
図１２に示すヘッド構成では、各ヘッドの相対高さは等しくなるように、調整する。
【００７０】
図２に、ＳＤモードの各ヘッドの軌跡の図、図３に、ＳＤＬモードの各ヘッドの軌跡の図を示す。
【００７１】
Ｈ０，Ｈ２はヘッド０，２の軌跡、Ｈ１はヘッド１の軌跡、Ｔはトラック、Ｔａは、テープ１内の磁気テープである。
【００７２】
Ｈ１−１はヘッド１の軌跡Ｔ０再生時（１周目）、Ｈ１−２はヘッド１の軌跡Ｔ１再生時（２周目）、Ｈ０，Ｈ２−１はヘッド０２の軌跡（１周目）、Ｈ０，Ｈ２−２はヘッド０２の軌跡（２周目）である。
【００７３】
ＳＤモードでは、図２に示すように、ドラム１周で＋−ヘッドが各ヘッド１トラック記録する。
【００７４】
ヘッドの軌跡は、ＣＨ０，２が同じトラック、ＣＨ１がとなりのトラックをトレースする。
【００７５】
次のドラム回転で次ぎの＋−アジマストラックを記録する。
【００７６】
再生時も記録時と同様にトレースする。
【００７７】
ＳＤＬモードでは、図３に示すように、ドラム２周で＋−ヘッドが各ヘッド１トラック記録する。
【００７８】
１周目ＣＨ０がＴ０トラックを記録する。
【００７９】
この周では、ＣＨ１はＴ０より１／２トラックずれたところトレースし、ＣＨ１はＣＨ０と逆アジマスである。ＣＨ２はＣＨ０と同じ所をトレースする。
【００８０】
２周目は、ＣＨ２でＴ０のとなりにＴ１を記録する。
【００８１】
この周ＣＨ０は、ＣＨ２と同じ所をトレースする。
【００８２】
ＣＨ１は、Ｔ１から１／２トラックずれたところをトレースする。
【００８３】
再生時も、記録時と同様のトレースをして、１周目のＣＨ０、２周目のＣＨ２で、記録データを再生できる。
【００８４】
このトレースの仕方を利用して、ＳＤＬ再生時に各ＣＨのＰＢＨを図１に示すように制御する。
【００８５】
ＳＤＬモードで信号に再生する時、ヘッドＣＨ０，ＣＨ２は、それぞれＳＷＰと同期を取りながら、それぞれＴ０，Ｔ１とトレースする時ＰＢＨをＨｉｇｈにする。
【００８６】
この時、図３で説明したように、ＣＨ１は１／２周遅れて、１／２トラックずれてＴ０、Ｔ１の間をトレースする。
【００８７】
そして、同アジマスＴ１のデータがオントラックの１／２の大きさで確認できる。
【００８８】
このとき、ヘッドＣＨ０，ＣＨ２とヘッドＣＨ１とは、再生と再生を並行して行うことになる。
【００８９】
これにより、従来ＳＤＬ用ヘッドで再生した時に再生データが存在しなかった期間に、ＣＨ１で再生したデータが存在する事になる。
【００９０】
従来ＳＤＬの再生では、図１４の再生時に示すように、出力がドラム１周の１／２期間しか存在しなかったが、ほぼ連続して、再生出力が存在する。
【００９１】
データが連続的に存在する事により、このデータが存在しない期間では、ＰＬＬが引き込めないという課題や、次の再生データが来た時にＰＬＬの引き込みに時間がかかる場合があるという課題が解決する。
【００９２】
また、Ｔ１トラックについては、３回（ＣＨ２で１回、ＣＨ１で２回）読む事で信頼性が向上する。
【００９３】
さらに図４に示すように、互換再生等で、記録時のデッキとリニアが異なり、出力２（ｃｈ２の出力）のエンベ形状が劣化した時、つまりトラックＴ１の１部でトラックの位置とヘッドＣＨ２の位置が前後にずれた時、ヘッドＣＨ１は、逆にオントラックに近づく。
【００９４】
これにより、出力１（ｃｈ１の出力）は、出力２の劣化した個所を補うように増加する。
【００９５】
このように、本発明によれば、データの不連続によりＰＬＬがかかりにくいという問題を解決するだけでなく、再生データの信頼性の向上も図れる。
【００９６】
（第二の実施例）
以下、本発明の第二の実施例を図面を用いて詳細に説明する。
【００９７】
図５に本発明の信号の流れを示す。
【００９８】
デジタルＶＴＲの要素構成、チャンネル構成は、図１１，１２に示す従来例と同じであり、省略する。
【００９９】
図１２に示すヘッド構成では、各ヘッドの相対高さは等しくなるように、調整する。
【０１００】
＋−の各アジマスが１度記録した時の各ヘッドの軌跡について、図２にＳＤモード、図６にＳＤＬモードを示す。
【０１０１】
ＳＤモードは、第一の実施例と同様である。
【０１０２】
ＳＤＬモードでは、図６に示すように、ドラム２周で＋−ヘッドが各ヘッド１トラック記録する。
【０１０３】
Ｈ１−１Ｒはヘッド１の軌跡Ｔ０記録時、Ｈ１−２Ｒはヘッド１の軌跡Ｔ１記録時である。
【０１０４】
１周目ＣＨ０がＴ０トラックを記録する。
【０１０５】
この周では、ＣＨ１はＴ０より１／２トラックずれたところトレースし、ＣＨ１はＣＨ０と逆アジマスである、ＣＨ２はＣＨ０と同じ所をトレースする。
【０１０６】
２周目は、ＣＨ２でＴ０のとなりにＴ１を記録する。
【０１０７】
この周ＣＨ０は、ＣＨ２と同じ所をトレースする。
【０１０８】
ＣＨ１は、Ｔ１から１／２トラックずれたところをトレースする。
【０１０９】
この時、ＣＨ１はＣＨ２と同アジマスであるから、トラックのずれ量だけ出力が小さいが再生ができる。
【０１１０】
このトレースの仕方を利用して、ＳＤＬ記録時に各ＣＨのＲｅｃＨ，ＰＢＨを図５に示すように制御する。
【０１１１】
ＳＤＬモードで信号に記録するヘッドＣＨ０，ＣＨ２は、信号を記録するドラム１／２周分だけ、タイミングを取りＲｅｃＨ＿０，ＲｅｃＨ＿２をＨｉｇｈにする。
【０１１２】
そして、図６に示したＴ０，Ｔ１を記録する（ＰＢＨ＿０，ＰＢＨ＿２は常にＬｏｗ）。
【０１１３】
ＣＨ２でＴ１を記録した後、１／２周だけＰＢＨ＿１をＨｉｇｈにして、ＣＨ１で、同アジマスＣＨ２で記録したＴ１を１／２トラックずれた状態で再生する。
【０１１４】
このとき、ヘッドＣＨ０，ＣＨ２とヘッドＣＨ１とは、記録と再生とを並行して行うことになる。
【０１１５】
この時Ｔ１に関して、同時記録再生の状態となる。
【０１１６】
この時ＣＨ１の再生信号のレベル、エラー状態を観察して、基準レベルに満たない時にヘッド目詰まり等の記録異常と判断する。
【０１１７】
異常が検出された時に、使用者に異常を伝え、ヘッドクリーニングを行えば、目詰まり等の記録不良を防ぐ事ができる。
【０１１８】
（第三の実施例）
以下、本発明の第三の実施例について説明する。
【０１１９】
本実施例の磁気記録再生装置は、従来例で図２を用いて説明した磁気記録再生装置とほとんど同一の構成であるので、同一の構成には同一の符号を付し、詳細な説明を省略する。
【０１２０】
本実施例の磁気記録再生装置は、再生信号の状態を判別する記録再生状態判別手段と、無記録状態に記録するか、すでに記録した上に記録するか、記録状態を判別する判別手段とを備えている。
【０１２１】
また、本実施例の磁気記録再生装置は、回転ドラムが回転してテープが走行しない記録休止モードを備えている。
【０１２２】
フローチャートを使って本実施例の動作について説明する。
【０１２３】
ＶＴＲカメラでは、一般的に、図７に示すように、電源スイッチが、記録、再生の切替スイッチ（モード切替スイッチ）１４を兼ねている。
【０１２４】
２−０：モード切替スイッチ１４は、Ｐｏｗｅｒ０ｆｆ、再生、記録の３種類のモードを選べる。
【０１２５】
Ｐｏｗｅｒ０ｆｆの時は、電源Ｏｆｆ状態であり、モード切替えスイッチ１４の入力待ち状態（２−０）を繰り返す。
【０１２６】
２−１：再生モードが選択されると再生モード（２−１）となり、再生、巻戻し等の入力待ちの状態となる。
【０１２７】
２−２：記録モードが選択されると、まず記録休止モード（２−２）に入る。
【０１２８】
記録休止モード（２−２）でば、メカ等が記録準備の状態になり、磁気ヘッド２の乗ったドラムが回転しているが、テープ１が停止していて、ヘッドアンプも再生状態にある。
【０１２９】
記録休止モードで記録準備が終了すると、ＲｅｃＳＴＡＲＴスイッチの待ち状態（２−３）になる。
【０１３０】
２−３：ＲｅｃＳＴＡＲＴスイッチの待ち状態（２−３）では、ＲｅｃＳＴＡＲＴスイッチがＯＮされると、テープ１の走行がスタートして、ヘッドアンプも記録状態になり、テープに信号を記録する。
【０１３１】
ＲｅｃＳＴＡＲＴスイッチがＯＦＦの時は、記録休止モードを繰り返す。
【０１３２】
以上のように、記録モードを選択すると必ず記録休止モードに入ってから、記録を開始し、またＲｅｃＳＴＡＲＴをＯＮにしない限り、記録休止モードを繰り返す。
【０１３３】
本発明では、この記録休止モードで、記録再生状態判別信号を記録、再生して、記録、再生の状態を判別する。
【０１３４】
以下に本発明の記録休止モードについて、詳細に説明する。
【０１３５】
記録休止モードについて、図８に詳細に示す。
【０１３６】
１−１：記録休止モードに入ると、この記録休止モードに入った回数（ＲｅｃＰａｕｓｅＮ）を調べる。
【０１３７】
ＲｅｃＰａｕｓｅＮが１の時は１−２へ、ＲｅｃＰａｕｓｅＮが１より大きい時は１−３へ移行する。
【０１３８】
なお、ＲｅｃＰａｕｓｅＮは、記録モードに入った時、ＰｏｗｅｒＯＮ時、テープ１入れ替え時にリセットがかかり、ＲｅｃＰａｕｓｅＮ＝０となる。
【０１３９】
１−２：再生アンプ３をＯＮにして、再生信号レベルからテープ１に信号が記録してあるか調べる。１−４へ移行。
【０１４０】
１−４：１−３の再生信号レベルから記録状態を判別して、再生信号レベルが基準レベル以上の時、記録済みテープと判断して１−５へ、基準レベルに満たない時は、無記録テープと判断して１−７へ移行。
【０１４１】
また、記録済みか、無記録テープかの情報は、ＣＰＵ、マイコン６等に送る。
【０１４２】
１−５：記録済みテープと判断した時は、つなぎ記録を行うためにトラック情報を読みながらテープ１を送り、正しいつなぎ記録の可能な位置にする。１−６へ移行。
【０１４３】
１−６：記録済みのデータの破壊がないようにトラックＴの一部（図１０（ａ）に示す所定の場所に）記録再生判別信号を記録する。１−１０へ移行。
【０１４４】
ここで、記録再生判別信号を記録する場所について、図９を用いて説明する。
【０１４５】
デジタルＶＴＲでは、１トラックが図９に示すような構成である。
【０１４６】
３１はＩＴＩエリア、３２はＩＴＩｐｒｅ−ａｍｂｌｅ、３３はエンベ、３４はＳＳＡ、３５はＡｕｄｉｏエリア、３６はＶｉｄｅｏエリア、３７はＳｕｂＣｏｄｅである。
【０１４７】
ここでＡｕｄｉｏエリア３５、Ｖｉｄｅｏエリア３６に状態判別信号を記録すると、記録準備から記録へとモードが移行してデータが書きかえられた時は、データに問題はないが、記録休止から記録へと行かなかった時に、記録済みのデータが破壊されてしまう。
【０１４８】
一方、ＩＴＩアリア３１は、トラッキング信号等が入っているが、画、音に直接関係する信号が入っていない。
【０１４９】
そこで、このＩＴＩエリア３１に記録再生状態判別信号を記録する。
【０１５０】
この記録再生状態にトラッキング信号を乗せて記録すれば、記録休止から記録に行かない時にも、再生しても問題が発生しない。
【０１５１】
１−７：無記録テープと判断された時は、トラックＴ全体に記録再生状態判別信号を記録する（図１０（ｂ）参照）。
【０１５２】
この時、記録準備から記録モードヘと移行した時、Ｘの記録再生状態判別信号は重ね書きされ消される。１−１０へ移行。
【０１５３】
１−３：ＲｅｃＰａｕｓｅＮが１より大きいとき、ヘッドアンプが再生となる（テープ走行せず）。
【０１５４】
ＣＰＵ、マイコン６等から記録再生状態判別信号の記録した個所の情報（ＩＴＩｏｒ全部に記録したか）を得て、記録再生状態判別信号の再生状態をエラー状態と再生信号レベルで確認する。
【０１５５】
１−８：１−３で調べたエラー状態と再生信号レベルから、エラーが基準数より多く、再生信号レベルが基準レベルより小さい時、記録状態が悪いと判断して１−９へ移行。
【０１５６】
それ以外は、記録再生に問題なしとして、１−１０へ移行。
【０１５７】
１−９：記録状態が悪いと判断して、目詰まりの警告をＯＮにする。１−１０へ移行。
【０１５８】
１−１０：記録休止モード終了。ＲｅｃＳｔａｒｔ判断モードヘ移行。
【０１５９】
次に、記録休止モードで記録再生状態判別信号を記録するエリアを図１０に示す。
【０１６０】
Ｒは記録済み信号、Ｘは記録再生状態判別信号である。
【０１６１】
記録済みテープに重ね記録する時は、ＩＴＩエリア３１に状態判別信号記録し、無記録テープに記録する時は、トラックＴ全体に記録し、記録再生状態判別信号を記録する場所を変更する。
【０１６２】
以上の様に、記録休止モード中に、記録再生判別信号を記録再生する事で、記録する直前に目詰まり等の記録再生状態の異常を検知でき、また記録休止モードを利用しているために、記録再生状態の確認に時間がかからず、敏速に記録開始ができる。
【０１６３】
【発明の効果】
以上説明したように、本発明によれば、信頼性の高い磁気記録再生装置を提供することができる。
【０１６４】
すなわち、ＳＤＬモードで再生時に、記録に使用しないヘッドも再生状態にして、記録して情報を再生することで、ＰＬＬを安定して掛ける事が可能となり、リニアの差による再生出力のレベル変動等の問題を解決できる。
【０１６５】
また、ＳＤＬモードで記録時に、記録に使用しないヘッドを再生状態にして、記録して情報をただちに再生することで、再生出力のレベル、エラー状態から記録再生状態を判別する事で、ゴミ、磁性粉等によるヘッド目詰まりを検知する事ができる。
【０１６６】
また、記録休止モードで、記録再生状態判別信号を記録、再生して、再生出力のレベル、エラー状態から記録再生状態を判別する事で、ゴミ、磁性粉等によるヘッド目詰まりを検知する事ができる。
【０１６７】
さらに、記録テープの状態に応じて、記録再生状態判別信号を記録する場所を変えることにより、データを破壊する危険もなく、ヘッド目詰まりを検知する事ができる。
【図面の簡単な説明】
【図１】本発明のヘッド制御図
【図２】ＳＤのヘッドの軌跡の図
【図３】ＳＤＬのヘッドの軌跡の図
【図４】出力の説明図
【図５】第二の実施例のヘッド制御図
【図６】第二の実施例のＳＤＬのヘッドの軌跡の図
【図７】第三の実施例を説明するフローチャート（モード）
【図８】第三の実施例を説明するフローチャート
【図９】デジタルＶＴＲのトラック構成の図
【図１０】本発明の記録状態の図
【図１１】Ｄ−ＶＴＲのブロック図
【図１２】ＳＤ／ＳＤＬのヘッド構成の図
【図１３】ＳＤのチャンネル制御の図
【図１４】ＳＤＬのチャンネル制御の図
【図１５】従来例の図
【符号の説明】
１  テープ
２  ヘッド
３  アンプ
４  等化回路
５  復調回路
６  マイコン
７  再生信号処理回路
１１  記録信号処理回路
１２  変調回路
１３  アンプ
１４  スイッチ
【図１】
2004192708.tif 000003
【図２】
2004192708.tif 000004
【図３】
2004192708.tif 000005
【図４】
2004192708.tif 000006
【図５】
2004192708.tif 000007
【図６】
2004192708.tif 000008
【図７】
2004192708.tif 000009
【図８】
2004192708.tif 000010
【図９】
2004192708.tif 000011
【図１０】
2004192708.tif 000012
【図１１】
2004192708.tif 000013
【図１２】
2004192708.tif 000014
【図１３】
2004192708.tif 000015
【図１４】
2004192708.tif 000016
【図１５】
2004192708.tif 000017